(57)【要約】【課題】従来のパチンコ遊技機では、賞球を直接玉箱に払いだすこととすると、上部受皿への遊技球の供給が行われず、上部受皿内の遊技球はいずれ遊技球発射装置により使用され尽くされて、遊技が中断されてしまうこととなる。【解決手段】賞球払出手段３と、賞球である遊技球を誘導する上部受皿玉払出通路４と、その遊技球を上部受皿用玉払出口５１を介して受容する賞球上部受皿５と、を備えるパチンコ遊技機であって、上部受皿玉払出通路４の底面に、一部を残して玉箱払出用開口部９１が開設され、玉箱Ｂに通じる玉箱払出通路９が連結されており、玉箱払出用開口部９１を開閉する入口側シャッター部９１ｄを開放させた場合には、遊技球の一部が上部受皿用玉払出口５１に送り出され、且つ、遊技球の他の部分が玉箱払出用開口部９１を通って玉箱払出通路９に送り出されて玉箱Ｂに払い出される、遊技球の玉箱への直接払出が可能なパチンコ遊技機である。【選択図】図１
2007075643.tif 000002
【特許請求の範囲】
【請求項１】
入賞時に一定数の遊技球を払い出す賞球払出手段と、前記賞球払出手段から払い出される遊技球を遊技球発射装置へ導く賞球通路と、を備えるパチンコ遊技機であって、
前記賞球通路の底面に、前記底面の少なくとも一部を残して玉箱払出用開口部が開設され、
前記玉箱払出用開口部において、パチンコ遊技機外に配置された玉箱に通じる玉箱払出通路が連結されており、
前記玉箱払出用開口部には、前記玉箱払出用開口部を開閉する入口側シャッター部を備えており、
前記入口側シャッター部を開放させた場合には、前記遊技球の一部が前記賞球通路の残された底面上を通って前記遊技球発射装置に導かれ、且つ、遊技球の他の部分が前記遊技球発射装置に導かれずに前記玉箱払出用開口部を通って前記玉箱払出通路に送り出されて前記玉箱に払い出されるものであって、
前記玉箱払出通路の出口側に、前記玉箱払出通路の開閉を行う出口側シャッター部を備えることを特徴とする、遊技球の玉箱への直接払出が可能なパチンコ遊技機。
【発明の詳細な説明】
【技術分野】
【０００１】
本発明は、技媒体である遊技球を用いて遊技を行うパチンコ遊技機に関し、更に詳しく言えば、遊技球を玉箱へ直接払出しすることができるパチンコ遊技機に関する。
【背景技術】
【０００２】
図８に示すような従来のパチンコ遊技機Ｍにおいては、遊技盤１上の入賞口に遊技球が入賞すると、図９に示すように、賞球払出装置（賞球払出手段）３に信号が送られ、賞球払出装置３により賞球として一定数の遊技球が払い出される。図９に示すように、この遊技球は、賞球タンク２から賞球払出装置３によって、上部受皿玉払出通路４を経由して、上部受皿用玉払出口５１より上部受皿５（遊技球供給皿）に払出される。上部受皿５に払出された遊技球は、遊技球発射装置（遊技球発射手段）６（図８において遊技球発射レバー６１のみを図示）に供給され、遊技球発射装置６により新たに遊技盤１内に発射されて遊技に使用される。
【０００３】
この上部受皿５が収容できる遊技球数は１００〜１３０球程度である。このため、大量の賞球が得られた場合には、上部受皿５はすぐに満杯となってしまう。そして、上部受皿５が満杯となった場合には、上部受皿５に入りきらない遊技球はフロー孔５２から送り出され、下部受皿玉払出通路７を経由して下部受皿用玉払出口８１から下部受皿８に払出される。
【０００４】
更に、下部受皿８の容量も２００球程度であるため、大量の賞球が払い出される場合には、いずれ下部受皿８も満杯となる。よって、遊技者は、下部受皿８が満杯とならないうちに下部受皿玉抜スイッチ８２を操作して、下部受皿８内の遊技球を、下部受皿８の底部に設けられた下部受皿玉抜口８３から玉箱Ｂに移す必要がある。なお、下部受皿８が満杯となった場合には、賞球払出装置３にその旨の信号が送られ、賞球払出装置３は遊技球の払出しを停止する。
【０００５】
このようなパチンコ遊技機Ｍにおいては、大当たり後にパチンコ遊技機Ｍ内部の遊技球を玉箱Ｂに払い出す場合には、以下のような操作を行う必要があった（図８及び９参照）。まず、事前に、下部受皿８内部に多量の遊技球がある場合には、それらの遊技球を下部受皿玉抜口８３から玉箱Ｂに排出しておく。その後で、上部受皿玉抜スイッチ５３を操作して、上部受皿５底部に設けられた上部受皿玉抜口５４（図８において図示せず）を開け、上部受皿５内に収容されている遊技球を上部受皿玉抜口５４を通じて下部受皿８に払出す。
【０００６】
そして次に、下部受皿玉抜スイッチ８２を操作して、下部受皿玉抜口８３を開け、上部受皿５から払い出した下部受皿８内の遊技球を、下部受皿玉抜口８３から玉箱Ｂに払い出す。即ち、賞球を上部受皿５と下部受皿８を経由させて、上部受皿玉抜スイッチ５３及び下部受皿玉抜スイッチ８２を操作して、玉箱に落としていた。このような上部受皿５と下部受皿８の２段階を経る玉抜きの手間を軽減する発明として、実開平６−５２８８６号公報において開示されている「パチンコ機における景品球の抜取り装置」がある。この発明においては、遊技球を、上部受皿を経由せずに直接下部受皿に排出することができる。
【特許文献１】実開平６−５２８８６号公報
【発明の開示】
【発明が解決しようとする課題】
【０００７】
しかし、上記の発明においては、パチンコ遊技機が通常どおり上部受皿に賞球を排出させる状態から、上部受皿を経由せずに直接下部受皿に賞球を排出させる状態に切り換えるための操作が新たに必要となる。また、下部受皿内の遊技球を下部受皿玉抜口から玉箱に払出す操作は、従来と同様に必要である。従って、賞球を玉箱にまで落とすためには、賞球を直接下部受皿に排出させる状態に切り換える操作と、下部受皿内の遊技球を玉箱に払い出す操作の二つの操作が必要である。
【０００８】
また、上記の発明においては、下部受皿に遊技球を直接排出させる状態では、上部受皿への遊技球（賞球）の供給が行われない。このため、遊技継続中に大当たりとなり下部受皿に賞球を直接排出させることとすると、新たな供給を受けない上部受皿内の遊技球はいずれ遊技球発射装置により使用され尽くされてしまい、上部受皿内の遊技球がなくなった時点で遊技が中断されてしまうこととなる。この上部受皿が収容できる遊技球数は１００〜１３０球程度であるのに対して、例えば、セブン機等では最低１０×１６個＝１６０個の球を打ち出す。よって、このような遊技の中断が頻発することとなる。
【０００９】
本発明は、上記観点に鑑みてなされたものであり、遊技球を玉箱へ排出している状態においても遊技球発射装置への遊技球の供給が途絶えることのない、遊技球の玉箱への直接払出が可能なパチンコ遊技機を提供することを目的とする。
【課題を解決するための手段】
【００１０】
前記目的を達成するため請求項１に記載のパチンコ遊技機は、入賞時に一定数の遊技球を払い出す賞球払出手段と、前記賞球払出手段から払い出される遊技球を遊技球発射装置へ導く賞球通路と、を備えるパチンコ遊技機であって、前記賞球通路の底面に、前記底面の少なくとも一部を残して玉箱払出用開口部が開設され、前記玉箱払出用開口部において、パチンコ遊技機外に配置された玉箱に通じる玉箱払出通路が連結されており、前記玉箱払出用開口部には、前記玉箱払出用開口部を開閉する入口側シャッター部を備えており、前記入口側シャッター部を開放させた場合には、前記遊技球の一部が前記賞球通路の残された底面上を通って前記遊技球発射装置に導かれ、且つ、遊技球の他の部分が前記遊技球発射装置に導かれずに前記玉箱払出用開口部を通って前記玉箱払出通路に送り出されて前記玉箱に払い出されるものであって、前記玉箱払出通路の出口側に、前記玉箱払出通路の開閉を行う出口側シャッター部を備えることを特徴とする、遊技球の玉箱への直接払出が可能なパチンコ遊技機である。
前記請求項１に係るパチンコ遊技機によれば、遊技球の一部が賞球通路の残された底面上を通って遊技球発射装置へと導かれることとなり、賞球払出手段から大量の遊技球が排出される場合に、直接遊技球を玉箱に払い出しながらその一部を遊技球発射装置にも供給することができる。このため、賞球発射装置に供給する遊技球が切れ、遊技球が発射され尽くしてしまい遊技が中断するということがない。
また、請求項１に係るパチンコ遊技機は玉箱払出通路の出口に、玉箱払出通路を閉鎖することができる出口側シャッター部を備えている。このため、玉箱への遊技球の払出しを止めたいときには、その出口側シャッター部で玉箱払出通路を閉鎖することにより、即座に遊技球の排出を止めることができる。玉箱払出通路の上流に出口側シャッター部を備える場合には、その出口側シャッター部から玉箱払出通路の出口までの区間に存在する遊技球は、出口側シャッター部により玉箱払出通路が閉鎖された後も外部に排出されてしまうが、本発明によればそのようなことはない。
【発明を実施するための最良の形態】
【００１１】
以下、本発明の遊技盤傾斜装置を実施例により詳細に説明する。
（１）本パチンコ遊技機の構成
本実施例のパチンコ遊技機Ｍを図１〜６に示す。ここで、図６はパチンコ遊技機の正面図、図７は本パチンコ遊技機における遊技球の流れを示す説明図、図１はパチンコ遊技機の下部を示す側面図、図２はその正面図、図３は玉箱払出用開口部の閉鎖状態を示す説明図、図４は玉箱払出用開口部の開口状態を示す説明図である。
【００１２】
即ち、本パチンコ遊技機Ｍは、遊技盤１と、表側には現れない賞球タンク２と、同様に表側に現れない、入賞時に一定数の遊技球を払い出す賞球払出装置３と、賞球払出装置３から払い出される遊技球を受ける上部受皿玉払出通路４と、この通路４から送り出された遊技球を上部受皿用玉払出口５１を介して受容する上部受皿５と、遊技球発射レバー６１を備える遊技球発射装置６と、下部受皿８と、玉箱払出通路９等とを備える。尚、賞球払出装置３が、特許請求の範囲記載の「賞球払出手段」に相当し、上部受皿５が「賞球上部受皿」に、遊技球発射装置６が「遊技球発射手段」に、下部受皿８が「賞球下部受皿」に、それぞれ相当するものである。
【００１３】
上記上部受皿玉払出通路４の底面４１の一部には、パチンコ遊技機Ｍ外に配置された玉箱Ｂに通じる玉箱払出用開口部９１が開設されている。そして玉箱払出通路９は、この玉箱払出用開口部９１に連結されている。玉箱払出用開口部９１から外部払出口９２に至る玉箱払出通路９の内径は、遊技球を一個以上通過させるだけの径を持つものである。
【００１４】
また、この上部受皿玉払出通路４の底面の、玉箱払出用開口部９１開口時にも残されている部分である橋部（図３の４２）は、上部受皿用玉払出口５１に連絡されている。更に、本パチンコ遊技機Ｍは、玉箱払出用開口部９１を開閉する入口側シャッター部（四角形の板状）９１ｄを備えている。そして、パチンコ遊技機前方に現れている把持部９１ｈを把持して左右にスライドさせる。このスライド操作により、玉箱払出用開口部９１を開口させたり閉鎖したりする。即ち、この入口側シャッター部９１ｄを閉じた状態（図３参照）では、この開口部９１が閉鎖されており、遊技球は上部受皿用玉払出口５１を介して上部受皿５に送り出されることになる。一方、この入口側シャッター部９１ｄを左側に移動させると（図４参照）、この開口部９１が開放されて、この開口部９１を通過する遊技球は、玉箱払出通路９に収容されて、玉箱Ｂ内へ落下されることとなる。
【００１５】
更に、玉箱払出通路９の出口側には、上記入口側シャッター部９１ｄと略同様であるが、前後にスライドされて外側出口９２の開閉を行う出口側シャッター部（板状）９２ｄが設けられている。この玉箱払出通路９は、上部受皿玉払出通路４を流れてきた遊技球を、玉箱払出用開口部９１を経て外部払出口９２下部におかれた玉箱Ｂに導くものである。
【００１６】
（２）本パチンコ遊技機の作用
遊技者は、遊技球発射レバー６１を操作して遊技球発射装置６により遊技盤１内に遊技球を発射し、遊技盤１内で遊技球を落下させて遊技を行う。遊技球が遊技盤１内の入賞口に入賞した場合は、図７に示すように、賞球払出装置３は信号を受け取り、賞球タンク２から所定の賞球を払い出す。賞球は、上部受皿玉払出通路４を経由して、上部受皿用玉払出口５１より上部受皿５に払出される。上部受皿５に払出された賞球は、遊技球発射装置６に供給され、遊技球発射装置６により新たに遊技盤１内に発射されて遊技に使用される。
【００１７】
この上部受皿５が収容できる遊技球数は１００〜１３０球程度であるため、大量の賞球が得られた場合には、上部受皿５はすぐに満杯となる。そして、上部受皿５が満杯となった場合には、上部受皿５に入りきらない遊技球はフロー孔５２から送り出され、下部受皿玉払出通路７を経由して下部受皿用玉払出口８１から下部受皿８に払出される。下部受皿８内の遊技球は、下部受皿玉抜スイッチ８２を操作して、下部受皿８底部に設けられた下部受皿玉抜口８３を開けることにより、玉箱Ｂに払い出される。
【００１８】
入口側シャッター部９１ｄを操作していない状態では、図３に示すように、入口側シャッター部９１ｄにより玉箱払出通路９の玉箱払出用開口部９１は閉鎖されている。このため、賞球として上部受皿玉払出通路４から払出される遊技球は、入口側シャッター部９１ｄ上を通過して上部受皿払出口５１から排出され、上部受皿５内に収容される。
【００１９】
一方、外部払出口９２下に玉箱Ｂを配置してから、シャッター部９１ｄを図４に示すようにスライドさせると、玉箱払出通路９の玉箱払出用開口部９１が開口する。このとき、賞球として上部受皿玉払出通路４から払出される遊技球は、玉箱払出用開口部９１から玉箱払出通路９へ落下し、外部払出口９２から排出されて、玉箱Ｂに収容される。更に、それと同時に、上部受皿玉払出通路４の底面４１のうちの橋部４２は、上部受皿用玉払出口５１に繋がっているので、この橋部４２を通過する遊技球は、この上部受皿用玉払出口５１に送り出され、その結果、この遊技球は上部受皿５内に収容される。
【００２０】
よって、本発明のパチンコ遊技機Ｍにおいては、入口側シャッター部９１ｄを右端までスライドさせ、玉箱払出通路９の玉箱払出用開口部９１が開口させた場合でも、図４に示すように、上部受皿用玉払出口５１底部は遊技球１〜２個分の幅の底面を残している。このため、上部球受皿払出通路４から払い出される遊技球の一部はこの残った床面上を通過して、上部受皿５内に収納される。
【００２１】
また、玉箱Ｂが満杯になった場合には、遊技者は玉箱を交換する必要がある。その場合には、遊技者は、図１において破線で示すように、外部払出口９２に設けられた出口側シャッター部９２ｄを後ろ側（奥）にスライドさせることにより、外部払出口９２を閉じて、外部払出口９２からの遊技球の排出を停止させる。この間、賞球は排出され続けているが、出口側シャッター部９２ｄから玉箱払出用開口部９１にまで至る玉箱払出通路９内に遊技球が満たされた場合には、上部受皿玉払出通路４から払出される遊技球は玉箱払出用開口部９１上を通過して、通常どおり、上部受皿払出口５１から排出され、上部受皿５内に収容される。
【００２２】
上部受皿５が満杯となった場合には、遊技球はフロー孔５２から送り出され、下部受皿玉払出通路７を経由して下部受皿用玉払出口８１から下部受皿８に払出される。遊技者は、上部受皿５及び下部受皿８に賞球が排出されている間に、玉箱を交換することができる。玉箱を交換した後には、遊技者は、図１に示すように、出口側シャッター部９２ｄを前方（手前）にスライドさせることにより、外部払出口９２を開いて、外部払出口９２からの遊技球の排出を再開させる。
【００２３】
（３）本パチンコ遊技機の効果
本実施例のパチンコ遊技機は、玉箱払出通路９を有するものであるため、大量の賞球を獲得した場合には、上部受皿５及び下部受皿８を経由せずに、直接玉箱Ｂにまで賞球を払い出すことができる。このため、遊技者は、従来のようにいちいち上部受皿玉抜スイッチ５３及び下部受皿玉抜スイッチ８２を操作することなく、そして短時間で、玉箱Ｂにまで賞球を払い出すことができる。
【００２４】
そして、下部受皿８の収容量が２００球程度であるのに対して、玉箱Ｂの収容量は２０００〜２５００球であるため、玉箱交換のために出口側シャッター部９２ｄを操作する頻度も、下部受皿玉抜スイッチ８２を操作する頻度の１／１０程度ですむ。
【００２５】
また、従来においては、通常、下部受皿８内に遊技球が満杯になった場合は、遊技球の詰まりや下部受皿８からの溢れ出しを防止するため、自動的に賞球払出装置３からの賞球の排出が止められる。従って、下部受皿８からの遊技球の排出が遅れ満杯となった場合には、獲得できたはずの賞球が取れなくなる場合がある。また、かかる仕組みを知らない遊技者は、下部受皿８から遊技球を排出するという対応を取らないため、排出自動停止後は賞球を全く獲得できない。
【００２６】
しかし、本発明においては、一度直接玉箱Ｂで賞球を受けるよう入口側シャッター部９１ｄを操作すれば、玉箱は下部受皿８の１０倍程度の容量があるため、かかる事態が発生する頻度及び失う賞球の数をより低く押さえることができる。即ち、玉箱Ｂが満杯になった場合の自動停止機構や、玉箱交換のために玉箱Ｂが置かれていない状態となった場合の自動停止機構を設けても、玉箱Ｂが満杯になるまでの時間は下部受皿８が満杯になるまでの時間の１０倍程度と予想されるため、賞球を失う頻度及び失う賞球数を低く押さえることができる。なお、大当たりとなった場合に、自動的に玉箱払出通路９の玉箱払出用開口部９１を開口し、玉箱Ｂに直接賞球を払い出すこととすれば、不慣れな遊技者も玉箱Ｂが満杯になるまで賞球を獲得することができ、より好ましい。
【００２７】
また、本実施例のパチンコ遊技機は、玉箱払出通路９により玉箱Ｂへ直接賞球を払いだすこととした場合にも、図４に示すように、賞球の一部は上部受皿用玉払出口５１底部の残った床面上を通過して、上部受皿５内に収納される。このため、上部受皿５そして遊技球発射装置６への遊技球の供給が途絶えることがなく、遊技者は遊技を中断されることがない。
【００２８】
（４）他の態様の実施例
尚、本発明においては、上記実施例に示すものに限らず、目的、用途に応じて本発明の範囲内で種々変更した別の態様の実施例とすることができる。例えば、入口側シャッター部９１ｄは、上記実施例のように左右にスライドさせる態様だけでなく、図５に示すように前後にスライドさせて玉箱払出用開口部９１を開閉させる態様としてもよい。また、入口側操作部の開閉の態様も、スライド式に限らず軸を中心として回動するドア式としてもよい。出口側シャッター部９２ｄについても、いずれの開閉態様であってもよいことは同様である。
【００２９】
また、玉箱払出用開口部９１及び入口側シャッター部９１ｄを設ける位置も、上部受皿払出口５１に設けるだけではなく、上部受皿５の遊技球を収容している他の部分や、上部受皿払出通路４の途中等に設けることができる。そして、外部払出口９２の位置は、上記実施例に示した位置以外でもよいが、玉箱Ｂに遊技球が容易に払出すことができる部位が好ましく、例えば、下部受皿８の底部又はパチンコ遊技機Ｍの下部壁面等を挙げることができる（図１及び図２参照）。
【００３０】
更に、例えば図５に示すように、上部受皿玉払出通路４の底面４１には、パチンコ遊技機外に配置された玉箱Ｂに通じる玉箱払出用開口部９１が開設されており、上記実施例に示す橋部を備えないものとすることができる。この場合は、入口側シャッター部９１ｄを開放させたとき、上部受皿玉払出通路４が上部受皿用玉払出口５１に対して遮断されており、遊技球の全てが上部受皿用玉払出口５１に送り出されずに玉箱払出通路９に送り出されて、その結果、玉箱に払い出されることになる。尚、この図５に示す入口側操作部の作動は、前後に移動させているが、上記実施例に示すように左右に移動させてもよい。
【００３１】
更に、入口側シャッター部９１ｄ、出口側シャッター部９２ｄ、上部受皿玉抜口５４、下部受皿玉抜口８３等をソレノイド等を用いて電気的に作動させるものとすることができる。この場合は、互いの、又はパチンコ遊技機Ｍの他の構成機器との連動がより容易となる。玉箱払出用開口部９１が開かれた場合に、同時に下部受皿玉抜口８３も開口するよう、両者を例えば機械的、電気的に接続してものとすることができる。この場合は、それまでに下部受皿８に貯留されていた遊技球も同時に玉箱Ｂに落とすことができ、より作業が容易となる。更に、上部受皿玉抜口５４とも連動するようにしておけば、遊技終了後の玉抜きがより容易となる。
【００３２】
また、本発明のパチンコ遊技機に、外部払出口９２の下に玉箱Ｂがあるかどうかを判定するための玉箱判定装置を設けることができる。この判定装置を入口側シャッター部９１ｄや出口側シャッター部９２ｄ、下部受皿玉抜口８３と接続することで、玉箱Ｂがない場合には、入口側シャッター部９１ｄや出口側シャッター部９２ｄ等を閉じるものとすることができる。また報知装置と接続して遊技者に玉箱Ｂが置かれていない旨を知らせるものとすることもできる。このような態様とすれば、玉箱が外部払出口９２前に置かれていない場合に、誤って遊技球が排出されてしまうのを防ぐことができる。この判定装置の判定の態様は、特に問わないが、例としてマイクロスイッチ等を用いた機械式センサや、光、赤外線センサ等を用いることが挙げられる。また、報知装置としては、音や光等によるものとすることもできる。
【図面の簡単な説明】
【００３３】
【図１】本実施例のパチンコ遊技機の下部を示す側面図である。
【図２】本実施例のパチンコ遊技機の下部を示す正面図である。
【図３】本実施例のパチンコ遊技機において、玉箱払出用開口部が閉鎖されているところを上から見た状態を示す説明図である。
【図４】本実施例のパチンコ遊技機において、玉箱払出用開口部が開口されているところを上から見た状態を示す説明図である。
【図５】他の態様のパチンコ遊技機において、玉箱払出用開口部が閉鎖されているところを上から見た状態を示す説明図である。
【図６】本実施例のパチンコ遊技機を示す正面図である。
【図７】本実施例のパチンコ遊技機の遊技球の流れを示す説明図である。
【図８】従来のパチンコ遊技機を示す正面図である。
【図９】従来のパチンコ遊技機の遊技球の流れを示す説明図である。
【符号の説明】
【００３４】
Ｍ；パチンコ遊技機、１；遊技盤、２；賞球タンク、３；賞球払出装置、４；上部受皿玉払出通路、４１；底面、４２；橋部、５；上部受皿、５１；上部受皿用玉払出口、５２；フロー孔、５３；上部受皿玉抜スイッチ、５４；上部受皿玉抜口、６；遊技球発射装置、６１；遊技球発射レバー、７；下部受皿玉払出通路、８；下部受皿、８１；下部受皿用玉払出口、８２；下部受皿玉抜スイッチ、８３；下部受皿玉抜口、９；玉箱払出通路、９１；玉箱払出用開口部、９１ｄ；入口側シャッター部、９１ｈ；把持部、９２；外部払出口、９２ｄ；出口側シャッター部、Ｂ；玉箱。
【図１】
2007075643.tif 000003
【図２】
2007075643.tif 000004
【図３】
2007075643.tif 000005
【図４】
2007075643.tif 000006
【図５】
2007075643.tif 000007
【図６】
2007075643.tif 000008
【図７】
2007075643.tif 000009
【図８】
2007075643.tif 000010
【図９】
2007075643.tif 000011